(57)【要約】【課題】電子ペーパーのリフレッシュ処理中に電源が遮断された場合にも、画面情報を確認することができる技術を提供する。【解決手段】表示装置１は、電子ペーパーで構成された表示部１１１と、表示部１１１に画面データ１２１を表示させる表示制御部１３１と、表示制御部１３１が表示部１１１の表示を次の画面データ１２１ｂに更新させる前に、次の画面データ１２１ｂを用いてリフレッシュ処理を実行するリフレッシュ処理部１３３とを備えたことを特徴とする。【選択図】図１
2019144481.tif 000002
【特許請求の範囲】
【請求項１】
電子ペーパーで構成された表示部と、
前記表示部に画面データを表示させる表示制御部と、
前記表示制御部が前記表示部の表示を次の画面データに更新させる前に、前記次の画面データを用いてリフレッシュ処理を実行するリフレッシュ処理部とを備えた
ことを特徴とする表示装置。
【請求項２】
前記リフレッシュ処理部は、
前記リフレッシュ処理として、前記次の画面データと前記次の画面データの各画素を白黒反転させた白黒反転画面データとを交互に切り換えて前記表示部に表示させる
ことを特徴とする請求項１に記載の表示装置。
【請求項３】
前記リフレッシュ処理部は、
前記リフレッシュ処理として、前記次の画面データと前記白黒反転画面データとを順に１回ずつ前記表示部に表示させる
ことを特徴とする請求項２に記載の表示装置。
【請求項４】
前記リフレッシュ処理部は、
前記リフレッシュ処理として、前記次の画面データの表示前に、更に、前記白黒反転画面データを前記表示部に表示させる
ことを特徴とする請求項３に記載の表示装置。
【請求項５】
前記リフレッシュ処理部は、
電源オンされてから最初に実行する前記リフレッシュ処理による画面切換回数を、前記電源オン中に実行する他の前記リフレッシュ処理による画面切換回数より多くする
ことを特徴とする請求項１から４までのいずれか１項に記載の表示装置。
【発明の詳細な説明】
【技術分野】
【０００１】
本発明は、電子ペーパーのリフレッシュ処理を実行する表示装置に関する。
【背景技術】
【０００２】
電子ペーパーは、電気泳動式のパネルを用いて画像を表示するため、画面を更新したときに更新前画面で表示していた画像が薄く残りやすい。そのため、画面更新する前に、全面白画素又は全面黒画素のリフレッシュ画面に切り換えるリフレッシュ処理を実行することで、更新後の画面に残像が残らないようにしている（例えば、特許文献１を参照）。
【先行技術文献】
【特許文献】
【０００３】
【特許文献１】特開２０１５−００２５４５号公報
【発明の概要】
【発明が解決しようとする課題】
【０００４】
しかしながら、従来技術では、リフレッシュ処理中に何らかの原因で電源が遮断された場合、全面白画素又は全面黒画素のリフレッシュ画面で終了してしまっていた。従って、ユーザーはどのような画面が表示されていたのか分からなくなってしまっていたという問題があった。
【０００５】
本発明は上記課題に鑑みてなされたものであり、電子ペーパーのリフレッシュ処理中に電源が遮断された場合にも、画面情報を確認することができる技術を提供することを目的とする。
【課題を解決するための手段】
【０００６】
本発明の表示装置は、電子ペーパーで構成された表示部と、前記表示部に画面データを表示させる表示制御部と、前記表示制御部が前記表示部の表示を次の画面データに更新させる前に、前記次の画面データを用いてリフレッシュ処理を実行するリフレッシュ処理部とを備えたことを特徴とする。
また、前記リフレッシュ処理部は、前記リフレッシュ処理として、前記次の画面データと前記次の画面データの各画素を白黒反転させた白黒反転画面データとを交互に切り換えて前記表示部に表示させてもよい。
また、前記リフレッシュ処理部は、前記リフレッシュ処理として、前記次の画面データと前記白黒反転画面データとを順に１回ずつ前記表示部に表示させてもよい。
また、前記リフレッシュ処理部は、前記リフレッシュ処理として、前記次の画面データの表示前に、更に、前記白黒反転画面データを前記表示部に表示させてもよい。
また、前記リフレッシュ処理部は、電源オンされてから最初に実行する前記リフレッシュ処理による画面切換回数を、前記電源オン中に実行する他の前記リフレッシュ処理による画面切換回数より多くしてもよい。
【発明の効果】
【０００７】
本発明によれば、電子ペーパーのリフレッシュ処理中に電源が遮断された場合に、画面情報を確認することができる。
【図面の簡単な説明】
【０００８】
【図１】本発明に係る実施の形態の表示装置の概略構成を示す機能ブロック図である。
【図２】図１に示す表示装置のリフレッシュ処理のイメージ図である。
【図３】図２に示す表示装置のリフレッシュ処理の流れを示すフローチャートである。
【図４】画面データの画素が白黒反転する様子を示したイメージ図である。
【発明を実施するための形態】
【０００９】
以下、図を参照して本発明の実施の形態を詳細に説明する。なお、以下の実施の形態において、同様の機能を示す構成には、同一の符号を付してある。
【００１０】
図１に示すように、表示装置１は、操作部１１と、記憶部１２と、制御部１３とを備えている。
【００１１】
操作部１１は、表示部１１１と、操作ボタン１１２とを備えている。表示部１１１は、電子ペーパーであり、電気泳動方式や電子粉流体方式等により画像を表示する。表示部１１１は、タッチパネルとして、表示手段及び入力手段として機能しても良い。操作ボタン１１２は、ユーザーからの操作指示を入力するための各種操作キーを備えている。
【００１２】
記憶部１２は、半導体メモリー等の記憶手段であり、表示部１１１に表示される複数の画面データ１２１を記憶している。複数の画面データ１２１は、ページ番号等に基づいて所定順序で表示部１１１に表示される。
【００１３】
制御部１３は、操作部１１及び記憶部１２にそれぞれ接続され、表示装置１全体の動作制御を実行する。制御部１３は、ＣＰＵ（Central Processing Unit）、ＲＯＭ（Read Only Memory）、ＲＡＭ（Random Access Memory）等を備えたマイクロコンピュータ等の情報処理部である。ＲＯＭには表示装置１の動作制御を行うための制御プログラムが記憶されている。制御部１３のＣＰＵは、ＲＯＭに記憶されている制御プログラムを読み出し、制御プログラムをＲＡＭに展開させて実行することで、装置全体の制御を行う。また、制御部１３は、表示制御部１３１と、リフレッシュ画面データ生成部１３２と、リフレッシュ処理部１３３としてそれぞれ機能する。
【００１４】
表示制御部１３１は、操作部１１からの操作指示に基づいて、表示部１１１に画面データ１２１を表示させるように制御する機能を有する。例えば、表示制御部１３１は、操作部１１により画面データ１２１の表示指示が受け付けられると、表示を指示された特定の画面データ１２１を記憶部１２から取得して、表示部１１１に表示する。つづいて、表示制御部１３１は、操作部１１により次ページの表示指示が受け付けられた場合に、次の画面データ１２１ｂ（図２を参照）を記憶部１２から取得し、後述のリフレッシュ処理部１３３によるリフレッシュ処理の終了後に、次の画面データ１２１ｂを表示部１１１に表示させて画面を更新する。
【００１５】
リフレッシュ画面データ生成部１３２は、表示制御部１３１による画面更新の前に、次の画面データ１２１ｂに基づいてリフレッシュ画面データを生成する機能を有する。例えば、図２に示すように、リフレッシュ画面データ生成部１３２は、表示制御部１３１によって取得された次の画面データ１２１ｂの各画素を白黒反転させた第１リフレッシュ画面データ５１と、第１リフレッシュ画面データ５１の各画素を白黒反転させた第２リフレッシュ画面データ５２と、第２リフレッシュ画面データ５２の各画素を白黒反転させた第３リフレッシュ画面データ５３とを生成する。
【００１６】
リフレッシュ処理部１３３は、表示制御部１３１によって次の画面データ１２１ｂが表示部１１１に表示される前に、次の画面データ１２１ｂに基づいて生成されたリフレッシュ画面データを用いてリフレッシュ処理を実行する。リフレッシュ処理は、現在表示されている画面データ１２１（前の画面データ１２１ａ）の残像を低減するための処理である。リフレッシュ処理部１３３は、リフレッシュ処理として、次の画面データ１２１ｂと、次の画面データ１２１ｂの各画素を白黒反転させた白黒反転画面データとを交互に切り換えて表示部１１１に表示させる。
【００１７】
例えば、リフレッシュ処理部１３３は、白黒反転画面データである第１リフレッシュ画面データ５１を表示部１１１に表示する第１リフレッシュ処理と、次の画面データ１２１ｂである第２リフレッシュ画面データ５２を表示部１１１に表示する第２リフレッシュ処理と、白黒反転画面データである第３リフレッシュ画面データ５３を表示部１１１に表示する第３リフレッシュ処理とを順に実行する。このように、リフレッシュ処理部１３３が、表示部１１１に対して、第１〜第３リフレッシュ画面データ５１〜５３を順に切り換えて表示させる第１〜第３リフレッシュ処理を実行することで、前の画面データ１２１ａの各画素を少なくとも２回以上白黒反転させることができる。これにより、次の画面データ１２１ｂが表示されたときに、前の画面データ１２１ａの残像を低減できる。
【００１８】
次に、図３を参照して、表示装置１のリフレッシュ処理の流れを説明する。
【００１９】
表示制御部１３１が画面データ１２１を表示部１１１に表示させると（ｓ１１）、操作部１１は、次画面の表示を指示されるまで待機する（ｓ１２、ｓ１２：Ｎｏ）。
【００２０】
次画面の表示を指示された場合（ｓ１２：Ｙｅｓ）、表示制御部１３１は、記憶部１２から次の画面データ１２１ｂを取得する（ｓ１３）。つづいて、リフレッシュ画面データ生成部１３２は、表示制御部１３１が取得した次の画面データ１２１ｂの画素を白黒反転させて、第１リフレッシュ画面データ５１を生成する（ｓ１４）。
【００２１】
つづいて、リフレッシュ処理部１３３は、リフレッシュ回数を示す変数ｎ（ｎは自然数）を「１」で初期化し（ｓ１５）、リフレッシュ画面データ生成部１３２によって生成されたリフレッシュ画面データを表示部１１１に表示させることで（ｓ１６）、リフレッシュ処理を実行する。
【００２２】
これにより、現在表示されている画面データ１２１に換えて、リフレッシュ画面データ生成部１３２によって生成された第１リフレッシュ画面データ５１が表示部１１１に表示され、第１リフレッシュ処理が実行される。第１リフレッシュ画面データ５１は、次の画面データ１２１ｂに基づいて生成されるので、リフレッシュ処理中に何らかの原因で表示装置１の電源が遮断されても、第１リフレッシュ画面データ５１に基づいて、ユーザーは次の画面データ１２１ｂを確認できる。
【００２３】
つづいて、リフレッシュ処理部１３３は、特定回数リフレッシュしたか否かを判断する（ｓ１７）。図２に示すように、第１リフレッシュ処理では、例えば領域６０のように、前の画面データ１２１ａの内、白黒反転できない画素が残ることがある。そこで、リフレッシュ処理部１３３は、特定回数リフレッシュを実行することで、残像を低減する。
【００２４】
特定回数は、例えば３回としてもよい。特定回数を３回とすることで、リフレッシュ処理によって前の画面データ１２１ａの各画素それぞれを少なくとも２回以上白黒反転させることができ、残像を低減させられるからである。
【００２５】
リフレッシュ回数が特定回数に達していない場合（ｓ１７：Ｎｏ）、リフレッシュ画面データ生成部１３２は、第１リフレッシュ画面データ５１の各画素を白黒反転させて、第２リフレッシュ画面データ５２を生成する（ｓ１８）。
【００２６】
つづいて、リフレッシュ処理部１３３は、リフレッシュ回数をインクリメントし（ｓ１９）、リフレッシュ画面データ生成部１３２によって生成されたリフレッシュ画面データを表示部１１１に表示し（ｓ１６）、リフレッシュ処理を実行する。これにより、第２リフレッシュ画面データ５２を表示部１１１に表示させる第２リフレッシュ処理が実行される。
【００２７】
このように、第１リフレッシュ画面データ５１に基づいて第２リフレッシュ画面データ５２を生成することで、第２リフレッシュ画面データ５２も次の画面データ１２１ｂに対応する。そして、第２リフレッシュ画面データ５２を用いて第２リフレッシュ処理を実行することで、第２リフレッシュ処理中に何らかの原因で表示装置１の電源が遮断されても、第２リフレッシュ画面データ５２に基づいて、ユーザーが次の画面データ１２１ｂを確認できる。また、第１リフレッシュ画面データ５１の各画素を白黒反転させた第２リフレッシュ画面データ５２を用いて第２リフレッシュ処理を実行することで、第１リフレッシュ処理では白黒反転できなかった領域６０内の各画素を確実に白黒反転させることができる。
【００２８】
つづいて、リフレッシュ処理部１３３は、特定回数リフレッシュしたか否かを判断し（ｓ１７）、特定回数リフレッシュしていなければ（ｓ１７：Ｎｏ）、特定回数リフレッシュするまでｓ１６からｓ１９までの処理が繰り返される。本実施の形態では、第３リフレッシュ画面データ５３まで生成され、第３リフレッシュ画面データ５３を用いて第３リフレッシュ処理が実行される。この第３リフレッシュ処理によって、領域６０内の各画素に対する２回目の白黒反転処理が実行される。これにより、リフレッシュ回数が３回となる。
【００２９】
特定回数リフレッシュすると（ｓ１７：Ｙｅｓ）、すなわち、リフレッシュ回数が３回になった場合、表示制御部１３１は、第３リフレッシュ画面データ５３に換えて、次の画面データ１２１ｂを表示部１１１に表示し（ｓ２０）、本処理を終了する。
【００３０】
このように、リフレッシュ処理部１３３が、次の画面データ１２１ｂに基づいて生成された第１〜第３リフレッシュ画面データ５１〜５３を用いて、リフレッシュ処理を３回実行することで、図２に示す領域６０を含めて、前の画面データ１２１ａの各画素それぞれを少なくとも２回以上白黒反転させることができる。これにより、次の画面データ１２１ｂの情報を確認可能で、且つ、前の画面データ１２１ａの残像を低減可能なリフレッシュ処理が可能となる。
【００３１】
なお、上記実施形態では、リフレッシュ処理中に前の画面データ１２１ａの各画素を少なくとも２回以上白黒反転させたが、次の画面データ１２１ｂを表示したときに、前の画面データ１２１ａの各画素が少なくとも２回以上白黒反転されるようにしてもよい。
【００３２】
図４は、次の画面データ１２１ｂと次の画面データ１２１ｂの白黒反転画面データとを順に１回ずつ表示部１１１に表示させるリフレッシュ処理の終了後に、次の画面データ１２１ｂを表示することで、前の画面データ１２１ａの各画素を２回以上白黒反転させる様子を示した図である。
【００３３】
リフレッシュ画面データ生成部１３２は、次の画面データ１２１ｂと同じ画面データを第１リフレッシュ画面データ５１として生成し、第１リフレッシュ画面データ５１の各画素を白黒反転させた白黒反転画面データを第２リフレッシュ画面データ５２として生成する。そして、リフレッシュ処理部１３３は、次の画面データ１２１ｂである第１リフレッシュ画面データ５１を用いて第１リフレッシュ処理を実行し、つづいて、第１リフレッシュ画面データ５１の白黒反転画面データである第２リフレッシュ画面データ５２を用いて第２リフレッシュ処理を実行して、リフレッシュ処理を終了する。つづいて、表示制御部１３１が次の画面データ１２１ｂを表示させることで、前の画面データ１２１ａの各画素を少なくとも２回以上白黒反転された状態にすることができる。この場合、リフレッシュ回数が２回で済むので、リフレッシュ処理時間や消費電力を低減することができる。つまり、図３に示すフローチャートでは、次の画面データ１２１ｂと同じ画面データをリフレッシュ画面データとして表示させる前に、更に、次の画面データ１２１ｂの各画素を白黒反転させた白黒反転画面データをリフレッシュ画面データとして表示させていたが、１段階リフレッシュ処理を不要にすることができる。
【００３４】
なお、リフレッシュ回数を多くするほど、前の画面データ１２１ａの残像を消去することができるが、消費電力とリフレッシュ処理時間が掛ることになる。そこで、コストバランスを考慮して、例えば、リフレッシュ処理部１３３は、表示装置１の電源オン中に実行する最初のリフレッシュ処理による画面切換回数を、電源オン中に実行する他のリフレッシュ処理の画面切換回数よりも多くしてもよい。例えば、電源オン中に実行する最初のリフレッシュ回数を３回とし、電源オン中に実行する他のリフレッシュ回数を２回としてもよい。画面更新しない時間が長いほど前の画面データ１２１ａの残像が残りやすいからである。
【００３５】
なお、実行するリフレッシュ回数は２回や３回に限らず、４回以上としてもよい。また、少なくとも２回以上からユーザーがリフレッシュ回数を設定できるようにしてもよい。また、表示制御部１３１による画面更新の度に、リフレッシュ画面データを生成してリフレッシュ処理を実行するのではなく、複数回目の画面更新の前に、リフレッシュ画面データを生成してリフレッシュ処理を実行するようにしてもよい。
【００３６】
このように、本実施の形態の表示装置１は、電子ペーパーで構成された表示部１１１と、表示部１１１に画面データ１２１を表示させる表示制御部１３１と、表示制御部１３１が表示部１１１の表示を次の画面データ１２１ｂに更新させる前に、次の画面データ１２１ｂを用いてリフレッシュ処理を実行するリフレッシュ処理部１３３とを備えたことを特徴とする。したがって、リフレッシュ処理中に何らかの原因で電源が遮断されても、本来の画面情報を確認することができる。そのため、例えば、無人稼働しているような電子機器に表示装置１を搭載することで、エラー画面を表示する前にリフレッシュ処理が実行され、リフレッシュ処理中に電源が遮断されても、サービスマン等がエラー画面の情報を確認することができる。また、リフレッシュ画面データは、現在表示されている画面データ１２１を使用せずに、次の画面データ１２１ｂに基づいて生成されるので、処理を簡単にすることができ、現在表示されている画面データ１２１を保存する必要もない。
【００３７】
本発明は上述した実施の形態に限定されるものではなく、本発明の趣旨を逸脱しない範囲で種々様々に変更が可能であることは言うまでもない。
【符号の説明】
【００３８】
１  表示装置
１１  操作部
１２  記憶部
１３  制御部
５１  第１リフレッシュ画面データ
５２  第２リフレッシュ画面データ
５３  第３リフレッシュ画面データ
６０  領域
１１１  表示部
１１２  操作ボタン
１２１  画面データ
１２１ａ  前の画面データ
１２１ｂ  次の画面データ
１３１  表示制御部
１３２  リフレッシュ画面データ生成部
１３３  リフレッシュ処理部
【図１】
2019144481.tif 000003
【図２】
2019144481.tif 000004
【図３】
2019144481.tif 000005
【図４】
2019144481.tif 000006